Podtech/llm-jp-corpus-v4-ja_patent huggingface dataset:
(57)【要約】【課題】手動で防火シャッターを巻き上げる作業を容易にかつ短時間で行うことができる、シャッター巻き上げ用ソケットを提供する。【解決手段】ビット部を設け、該ビット部には平削り面を有し、該ビット部に対交する部分は、筒状に削りキャップ部を有して成り、該キャップ部の外側一部側面よりキャップ部の内側空洞部を通り、外側一部側面に貫通する穴を設け、該穴にピンを挿入することを特徴とする。【選択図】　図１
2004011410.tif 000002
【特許請求の範囲】
【請求項１】
ビット部を設け、該ビット部には平削り面を有し、該ビット部に対交する部分は、筒状に削りキャップ部を有して成ることを特徴とする、シャッター巻き上げ用ソケット。
【請求項２】
前記キャップ部の外側一部側面よりキャップ部の内側空洞部を通り、外側一部側面に貫通する穴を設け、該穴にピンを挿入することを特徴とする、請求項１記載のシャッター巻き上げ用ソケットである。
【請求項３】
請求項１記載のキャップ部の外側一部側面よりキャップ部の内側空洞部を通り、外側一部側面に貫通する溝を設けることを特徴とする、請求項１記載のシャッター巻き上げ用ソケットである。
【請求項４】
請求項１記載のキャップ部の外側一部側面より、キャップ部の内側空洞部の芯に向かいネジ穴を設け、該ネジ穴にネジを止めることを特徴とする、請求項１記載のシャッター巻き上げ用ソケットである。
【発明の詳細な説明】
【０００１】
【発明の属する技術分野】
この発明はシャッター巻き上げ用ソケットに関し、特に消防用設備等点検の防火シャッター設備のシャッター巻き上げに使用する、シャッター巻き上げ用ソケットに関する。
【０００２】
【従来の技術】
防火シャッター設備の点検を行う際、防火シャッターを降ろし、防火シャッターの巻き上げを行う。しかし自動で防火シャッターの巻き上げを行う場合は容易だが、手動の場合は付設されているシャッター巻き上げハンドルをシャッターの軸にセットし、シャッターを巻き上げるのが通常である。
【０００３】
【発明が解決しようとする課題】
しかしながら、前記のように手動の場合は付設されているシャッター巻き上げハンドルをシャッターの軸にセットし、シャッターを巻き上げる作業は重労働であり、時間もかかる。
【０００４】
本発明は、上記した点に鑑みなされたものであり、手動でシャッターを巻き上げる作業を容易にかつ短時間で防火シャッターの巻き上げを行うことができる、シャッター巻き上げ用ソケットを提供することを課題とする。
【０００５】
【課題を解決するための手段】
上記した目的を達成するため、請求項１記載の本発明のシャッター巻き上げ用ソケットは、ビット部を設け、該ビット部には任意に平削り面を有し、該ビット部に対交する部分は、筒状に削りキャップ部に成ることを特徴とする。
請求項２記載の本発明のシャッター巻き上げ用ソケットは、前記キャップ部の外側一部側面よりキャップ部の内側空洞部を通り、外側一部側面に貫通する穴を任意に設け、該穴にピンを挿入することを特徴とする。
請求項３記載の本発明のシャッター巻き上げ用ソケットは請求項１記載のキャップ部の外側一部側面よりキャップ部の内側空洞部を通り、外側一部側面に貫通する溝を任意に設けることを特徴とする。
請求項４記載の本発明のシャッター巻き上げ用ソケットは請求項１記載のキャップ部の外側一部側面よりキャップ部の内側空洞部の芯に向かいネジ穴を設け、該ネジ穴にネジを止めることを特徴とする。
【０００６】
【発明の実施の形態】
以下、図面に示した実施の形態に基づき本発明をさらに詳細に説明する。図１は、本発明の一の実施の形態に係るシャッター巻き上げ用ソケット１を示す斜視図であり、このシャッター巻き上げ用ソケット１は、ビット部２を設け、該ビット部２には任意に平削り面３を有し、該ビット部２に対交する部分は、筒状４に削りキャップ部６に構成されている。
【０００７】
このシャッター巻き上げ用ソケット１は、前記キャップ部６の外側一部側面よりキャップ部６の内側空洞部５を通り外側一部側面に貫通する穴７を設け、該穴７にピン８を挿入して成る。
【０００８】
図２、３は、シャッター巻き上げ用ソケット１で、前記キャップ部６の外側一部側面よりキャップ部６の内側空洞部５を通り外側一部側面に貫通する溝９を設けて成る。
【０００９】
図４は、シャッター巻き上げ用ソケット１で、前記キャップ部６の外側一部側面よりキャップ部６の内側空洞部５の芯に向かい、ネジ穴１０を設け、該ネジ穴１０にネジ１１を止めて成る。
【００１０】
次に本実施の形態に係るシャッター巻く上げ用ソケット１の使用方法を説明する。
先ず、消防点検で降ろされた防火シャッターの軸に合うシャッター巻き上げ用ソケット１を選び、電動ドリル１２のチャックに本発明品のシャッター巻き上げ用ソケット１のビット部２を挿入して止める。
【００１１】
次に該シャッター巻き上げ用ソケット１のキャップ部６の筒状４になっている部分を防火シャッターの軸に挿入して、電動ドリル１２を回転させ防火シャッターを巻き上げる。
また、電動ドリル１２を回転させ防火シャッターを巻き上げる空間が狭い場合は、電動ドリル１２にフレキシブルビットホルダーを装着し、そこに本発明のシャッター巻き上げ用ソケット１を挿入して使用することもできる。
【００１２】
【発明の効果】
手動で付設されているシャッター巻き上げハンドルを用いてシャッターを巻き上げる作業は重労働で時間もかかる。
本発明に係るシャッター巻き上げ用ソケットによれば、シャッターを巻き上げる作業を容易にかつ短時間で行うことができる。
【図面の簡単な説明】
【図１】本発明の実施の形態に係るシャッター巻き上げ用ソケットを示す斜視図。
【図２】本発明の実施の形態に係るシャッター巻き上げ用ソケットを示す斜視図。
【図３】本発明の実施の形態に係るシャッター巻き上げ用ソケットを示す斜視図。
【図４】本発明の実施の形態に係るシャッター巻き上げ用ソケットを示す斜視図。
【符号の説明】
１　　シャッター巻き上げ用ソケット　　　１２　　電動ドリル
２　　ビット部
３　　平削り面
４　　筒状
５　　空洞部
６　　キャップ部
７　　穴
８　　ピン
９　　溝
１０　　ネジ穴
１１　　ネジ
【図１】
2004011410.tif 000003
【図２】
2004011410.tif 000004
【図３】
2004011410.tif 000005
【図４】
2004011410.tif 000006
(57)【要約】【課題】錠箱の上下面に開口した逃げ溝を遮蔽する。【解決手段】シリンダ錠を担持したカップ状のシリンダ筒１を、開口端を内側にして扉外面に開口したシリンダ筒挿通穴１３に挿通し、開口端縁に螺合する取付ボルト６により錠箱５の側板に呼びつけるようにして錠箱に固定するものにおいて、薄肉カップ体の底面にテールピースを通すテールピース開口を形成し、外周部を錠箱と干渉しないように切り欠いた遮蔽体１４を開口を錠箱に向けてシリンダ筒の開口端縁に固定する。【選択図】　　　図３
2004011405.tif 000002
【特許請求の範囲】
【請求項１】
シリンダ錠を担持したカップ状のシリンダ筒を、開口端を内側にして扉外面に開口したシリンダ筒挿通穴に挿通し、開口端縁に螺合する取付ボルトにより錠箱の側板に呼びつけるようにして錠箱に固定するものにおいて、薄肉カップ体の底面にテールピースを通すテールピース開口を形成し、外周部を錠箱と干渉しないように切り欠いた遮蔽体を開口を錠箱に向けてシリンダ筒の開口端縁に固定したことを特徴とする錠箱遮蔽装置。
【発明の詳細な説明】
【０００１】
【発明の属する技術分野】
この発明は、錠箱遮蔽装置（以下単に遮蔽装置という）に係り、特に、簡単な構造で容易に錠箱に開口した逃げ溝を閉塞することができ、錠前の安全性を向上させることができる遮蔽装置に関する。
【０００２】
【従来の技術】
シリンダ錠の扉への装着の態様は、例えば図１に示すように、シリンダ錠を収納したカップ状のシリンダ筒１を、扉２を貫通させて扉面外に突出させ、その突出部分を化粧リング３で覆う構造である。
【０００３】
ちなみに、図示の実施例におけるシリンダ筒１そのものは、室内側からサムターン座４及び錠箱５を貫通する取付ボルト６、６の先端部をシリンダ筒１の開口端縁に螺入させ、錠箱の外側の側板に呼び付けられるようにして固定される。
【０００４】
そのため、図示の実施例における錠箱５には、図２に示すように、錠箱５を水平方向に貫通する取付孔７、７が開口している。
【０００５】
ところで、上記錠箱５には、図２に示すように、デッドボルト８及びこれを出し入れするデッドカム９との干渉を避けるため、錠箱５の上面に逃げ溝１１が開口している。
【０００６】
また、クリックばね１２との干渉を避けるため、錠箱５の下面にも同様の逃げ溝１１が開口している。
【０００７】
【発明が解決しようとする課題】
一方、図１に示すように、扉２の外面にはシリンダ筒１を通すためのシリンダ筒挿通穴１３が開口しており、製造誤差があっても確実にシリンダ筒１を通すため、シリンダ筒挿通穴１３とシリンダ筒１との間に隙間はかなり大きく設定されている。
【０００８】
そのため、化粧リングの可動部を持上げ、特殊な形状をした針金の先端部を、シリンダ筒挿通穴１３及び扉の外面と錠箱５との間を通して、上記逃げ溝１１から錠箱３内に挿入すると、これを引くことによりデッドボルト８が引込むので、不正解錠が不可能ではなく、したがって錠前の防犯性が失われる、という不都合がある。
【０００９】
設計変更をして錠箱５の上下方向の寸法を増やせば逃げ溝を無くすことができるが、その方法は既設の錠箱には適用できないし、また、規格によって寸法が定まっているデッドボルトの設計変更も行わなければならないので、単に錠箱の寸法を増やせばよい、という問題ではない。
【００１０】
この発明は、上記した錠箱の上、下面に開口した逃げ溝１１を遮蔽する簡単な構造の遮蔽装置を提供し、以て上記した不都合を解消することを目的としている。
【００１１】
【課題を解決するための手段】
上記した目的を達成するため、この発明は、シリンダ錠を担持したカップ状のシリンダ筒を、開口端を内側にして扉外面に開口したシリンダ筒挿通穴に挿通し、開口端縁に螺合する取付ボルトにより錠箱の側板に呼びつけるようにして錠箱に固定するものにおいて、薄肉カップ体の底面にテールピースを通すテールピース開口を形成し、外周部を錠箱と干渉しないように切り欠いた遮蔽体を開口を錠箱に向けてシリンダ筒の開口端縁に固定したことを特徴とする。
【００１２】
【実施例】
以下、この発明の実施例を図面を参照して説明する。
図３において符号１４は遮蔽体を示し、この遮蔽体１４は、上記取付ボルト６により、シリンダ筒１と錠箱５との間に挟み付けられるようにして装着される。
【００１３】
この遮蔽体１４は、図４及び図５に示すように、薄肉のカップ体の底面にシリンダ錠内筒に装着された図示しないテールピースを通すテールピース開口１５を、また、外周部に錠箱５との干渉を避けるために切欠１６を夫々形成した部材である。
【００１４】
そして、錠箱５を切欠１６、１６に通してその底面の外面をシリンダ筒１の開口端縁に接合し、底面に開口したボルト孔１７、１７をシリンダ筒の開口端縁に開口した図示しない雌ねじ孔に整合させてから、取付ボルト６、６によってシリンダ筒１を錠箱５に呼び付ける。
【００１５】
すると、遮蔽体１４は取付ボルト６、６によってシリンダ筒１と錠箱５との間に確りと挟み付けられるようにして固定される。
【００１６】
なお、図４において符号１８はシリンダ筒の開口縁における突出物と干渉しないように形成された逃げ穴を、図５において符号１９はクリックばね１２（図２参照）との干渉を防止するために形成されたクリックばね溝を夫々示し、これら逃げ穴１８及びクリックばね溝１９が図において上下に形成されている理由は、遮蔽体の構造に方向性を持たせないためである。
【００１７】
なお、図２において符号２１はシリンダ錠のテールピース、或いはサムターン軸と係合するクラッチ孔を、図３において符号２２はサムターンを夫々示し、これらの構造及び機能は従来周知であるから、更に詳細な説明は省略する。
【００１８】
上記のように構成されたこの発明の一実施例による遮蔽装置は、図３から明らかなように、錠箱５の上、下面に形成された前記逃げ溝１１、１１を遮蔽体１４の筒部に切り残された部分で遮蔽する。
【００１９】
【発明の効果】
以上の説明から明らかなように、この発明は、薄肉カップ体の底面にテールピースを通すテールピース開口を形成し、外周部を錠箱と干渉しないように切り欠いた遮蔽体を開口を錠箱に向けてシリンダ筒の開口端縁に固定し、錠箱の上下面に形成された逃げ溝を遮蔽体が遮蔽するので、シリンダ筒の化粧リングを持上げて扉外面に開口したシリンダ筒挿通穴から針金を挿入しての不正解錠を完全に防止できる、という所期の効果を奏する。
【図面の簡単な説明】
【図１】シリンダ錠の取付の一例を示す断面図。
【図２】錠箱の一部断面側面図。
【図３】この発明の一実施例による遮蔽装置を装着したシリンダ錠の断面図。
【図４】遮蔽体を室内側から見た正面図。
【図５】遮蔽体の側面図。
【符号の説明】
１　シリンダ筒
２　扉
３　化粧リング
４　サムターン座
５　錠箱
６　取付ボルト
７　取付孔
８　デッドボルト
９　デッドカム
１１　逃げ溝
１２　クリックばね
１３　シリンダ筒挿通穴
１４　遮蔽体
１５　テールピース開口
１６　切欠
１７　ボルト孔
【図１】
2004011405.tif 000003
【図２】
2004011405.tif 000004
【図３】
2004011405.tif 000005
【図４】
2004011405.tif 000006
【図５】
2004011405.tif 000007
(57)【要約】【課題】従来の、高圧洗浄工法では、水抜きパイプの目詰まり物質だけでなく、風化でゆるみ土砂化した地山まで削り、大量に噴射した水で、流れ出る際にサィホン現象で土砂までパイプ内に吸い込み残留する。【解決手段】コンクリート打設用のバイブレーターの振動で、水抜きパイプ内外にある目詰まり物質を剥落液状化し、少量の水を送水して流しだす。【選択図】　　　　図６
2004011401.tif 000002
【特許請求の範囲】
【請求項１】
コンクリート打設用バイブレーター（２１）を水抜きパイプ（５）内に挿入し、バイブレーター（２１）の振動で、水抜きパイプ（５）内の目詰まり物質（７）を液状化する方法。
【請求項２】
固形化した目詰まり物質を、バイブレーター（２１）の先端に取付けた合金（２２）で、上下左右するバイブレーター（２１）の振動で削り液状化する方法。
【請求項３】
液状化した水抜きパイプ（５）内の目詰まり物質（７）を、ポンプ（１１）で送水用パイプ（１３）の先端から水抜きパイプ（５）内に、液状物が流れる程度送水し、パイプ（５）外へ排出する方法。
【発明の詳細な説明】
【０００１】
【産業上の利用分野】
本発明は、地すべり等の防止工法の一つである、水抜きパイプの維持管理と施設の若返りに関する。
【０００２】
【従来の技術】
【０００３】
最近、地すべり防止用に布設した水抜きパイプが、図１・図２へ示すように、パイプ内が詰まり問題になっている。パイプの目詰まりは完全閉塞に到るものも多くあり、その結果、地下水位が上昇し再活動をはじめた地すべりもある。
【０００５】
そのパイプを詰まらせている物質は、調査の結果、土壌微生物であることが判明した。土壌微生物は、酸素と酸性水を好み、繁殖の時には粘着性の強い分泌物を出し、ありとあらゆる部材に貼り付く。繁殖当初は高含水のゲル状であるが、乾燥すると堅く固形化する。
【０００６】
従来、目詰まり物質の除去は、図３・図４と特許平１−４６６５３・実用新案平３−１５６７４・実用新案平３−１５６７５が示す装置と方法で行われてきた。すなわち、先端と横方向に噴射用の穴を開けた噴射ノズルを水抜きパイプに挿入し、高圧水を噴射して削り排出していた。
【０００７】
【発明が解決しようとする課題】
しかし、高圧水のノズルからの噴射は、比較的堅い固形化した目詰まり物質も切削除去できるが、図５で示すように水抜きパイプ外側の、風化でゆるみ土砂化した地山まで削り細粒化する。そして大量に噴射した水は、水抜きパイプはもとよりボーリング孔内まで満水になり、流れ出る時に、サィホン現象で細粒化した土砂までパイプ内に吸い込み、図５で示すように流れが遅くなった時にパイプ内に残留する。
【０００８】
【課題を解決するための手段】
本発明は、前記した課題を色々検討し解決方法を考えた。まず、パイプ内を詰まらせている物質は、固形化しているが含水比は比較的高く、また、水抜きパイプとボーリング孔とには隙間がある。そこで、水抜きパイプ内外の固形化物に振動を与えて液状化することができないだろうかと考えた。液状化物であると少量の水で排出することも可能である。
【０００９】
そこで、起振装置を建設工事のコンクリート打設に使用するバイブレーターが適当と考えた。そして、堅く固形化した目詰まり物質は、バイブレーターの先端に角のある合金を取付け振動で削り取れるように加工し、液状化した目詰まり物質を流すために細い送水パイプを添わした。そして、地すべり地に布設されている水抜きパイプ内に、上記装置を加えたバイブレーターを挿入し、電気を流しバイブレーターを起振すると共に少量の水をポンプで送水してみた。
【００１０】
【作用】
その結果、水抜きパイプ内のバイブレーターに電気を流し起振したところ、パイプ内外及びストレーナーの目詰まり物質は、振動で剥落液状化し、送水した水でパイプの外に、地山の細粒分を吸い込むことなく、液状物のみを流し出した。
【００１１】
【発明の実施の形態】
本発明の１実施例を、図に基づいて説明する。図６は本発明の全体構成図を示し、図６はそのアップである。
コンクリート打設用バイブレーター（２１）の先端に合金を取付け、起動用のキャップタイヤ（２０）の差込プラグを、地表（１）に設備している発電機（９）のコンセットへ差込む。送水用パイプ（１３）をバイブレーター（２１）へ添わせて固定する。送水用パイプ（１３）の片側を地表（１）に設備する低圧用送水ポンプ（１１）の吐出し口にセットする。また、ポンプ（１１）の吸込み側と水槽（１２）を、サクションホース（１４）でつなぐ。そして、合金（２１）と送水用パイプ（１３）をセットしたバイブレーター（２１）を、水抜きパイプ（５）に挿入し、発電機（９）の電源を入れバイブレーター（２１）を起振するとともに、ポンプ（１１）で送水用パイプ（１３）の先端から水抜きパイプ内に送水する。
【００１５】
コンクリート打設用バイブレーター（２１）を水抜きパイプ（５）内に挿入し、バイブレーター（２１）の振動で、水抜きパイプ（５）内の目詰まり物質（７）を液状化する方法。
【００１６】
固形化した目詰まり物質を、バイブレーター（２１）の先端に取付けた合金（２２）で、上下左右するバイブレーター（２１）の振動で削り液状化する方法。
【００１７】
液状化した水抜きパイプ（５）内の目詰まり物質（７）を、ポンプ（１１）で送水用パイプ（１３）の先端から水抜きパイプ（５）内に、液状物が流れる程度送水し、パイプ（５）外へ排出する方法。
【００１８】
【発明の効果】
その結果、パイプ内及びストレーナーの目詰まり物は、振動で剥落して液状化したり、固形化したものも合金で削ることもできた。そして、送水した水でパイプの外に、地山の細粒分を水抜きパイプ内に吸い込むことなく、液状物のみを排出した。
【図面の簡単な説明】
【図１】地すべり防止用集水井の模式側面図
【図２】目詰まりをした水抜きパイプのアップ模式側面図
【図３】従来の水抜きパイプの洗浄状況側面図
【図４】従来の水抜きパイプを洗浄中のアップ側図
【図５】水抜きパイプ内に溜まった細粒分の状況側面図
【図６】バイブレーターによる洗浄中の側面図
【図７】バイブレーターによる洗浄中のアップ側面図
【図８】バイブレーターを挿入中の正面図
【符号の説明】
１，地表　　　　　　１０，高圧ポンプ　　　　１９，コード
２，集水井　　　　　１１，低圧ポンプ　　　　２０，キャップタイヤ
３，溜めます　　　　１２，水槽　　　　　　　２１，バイブレーター
４，ボーリング孔　　１３，パイプ（ホース）　２２，合金
５，水抜きパイプ　　１４，サクションホース　２３，噴射水
６，ストレーナー　　１５，噴射ノズル
７，目詰まり物質　　１６，ノズルの穴
８，排水パイプ　　　１７，細粒分
９，発電機　　　　　１８，排水
【図１】
2004011401.tif 000003
【図２】
2004011401.tif 000004
【図３】
2004011401.tif 000005
【図４】
2004011401.tif 000006
【図５】
2004011401.tif 000007
【図６】
2004011401.tif 000008
【図７】
2004011401.tif 000009
【図８】
2004011401.tif 000010
(57)【要約】      （修正有）【課題】携帯電話を充電中に受信メールをテレビ画面上で手を煩わせずに読むことが出来る。【解決手段】充電器１に入力コネクタ２からテレビ受像機の映像信号を受け取り、充電用コネクタ４から携帯電話のメールを受け取る。このメールを表示位置指定スイッチ、表示文字等の大きさ指定スイッチ、文字表示等の色指定スイッチ、スーパインポーズ停止スイッチを設けて、映像信号にスーパーインポーズして出力コネクタ３からテレビ受像機に送る。【選択図】    図１
2004229252.tif 000002
【特許請求の範囲】
【請求項１】
映像信号の入力コネクタ（２）と携帯電話からのメールの文字、記号をスーパーインポーズした映像信号の出力コネクタ（３）を取り付け、表示位置指定スイッチ（５）、表示文字等の大きさ指定スイッチ（６）、表示文字等の色指定スイッチ（７）、スーパーインポーズ停止スイッチ（８）を有する充電器。
【請求項２】
充電用コネクタにメールの文字等のデータ出力端子が付いた携帯電話。
【請求項３】
指定した送信者からのメールの文字等のデータを出力することの出来る携帯電話。
【請求項４】
携帯電話の充電器を取り付けたテレビ受像機。
【発明の詳細な説明】
【０００１】
【発明の属する技術分野】
本発明は携帯電話の充電中に送られてきたメールをスーパーインポーズすることの出来る充電器ならびに携帯電話の充電器を取り付けたテレビ受像機。
【０００２】
【従来の技術】
従来の携帯電話用充電器では受信メールをスーパインポーズすることは出来なかった。
【０００３】
【発明が解決しようとする課題】
従来の携帯電話の充電器では受信したメールをスーパーインポーズしてテレビ受像機に送ることは出来なかった。またメールを見るために携帯電話を操作しなければならなかった。
【０００４】
本発明は携帯電話の充電中に受信したメールをテレビを観ながら読むことを目的としたものである。メール送信者を指定してそのメールのみテレビに映るようにすれば不用意に他人に読まれることは無い。また送信者がメールをテレビ受像機に映したく無い時はメールの文頭或いは文末に特定の記号を入れることによりテレビ受像機に映すことを避けることが出来る機能を持つ。さらにテレビに映るメールは文字、記号に色を付ければ緊急なメールは特に注意を引くことが出来る。
【０００５】
【課題を解決するための手段】
上記目的を達成するために、本発明の充電器においては、テレビ受像機から映像信号を取り入れ，それに携帯電話からのメールの記号，文字データを加えてテレビ受像機に送るという、スーパーインポーザーを取り付けたものである。
【０００６】
携帯電話にはスーパーインポーズする記号，文字データを出力する機能が必要であり、その出力端子が充電用コネクタに設けられていることが望ましい。
【０００７】
またテレビ受像機にスーパーインポーズのデータを出力する機能を有する充電器を付加すれば充電器を別に用意する必要がなくなる。
【０００８】
【発明の実施の形態】
発明の実施の形態を実施例にもとづき図面を参照して説明する。
図１において、充電器１にテレビ受像機の映像信号入力コネクタ２を設ける。携帯電話充電用コネクタ４にメールの文字、記号データを出力する端子を設ける。テレビ受像機にメールをスーパーインポーズした映像信号を送る出力コネクタ３を設ける。また表示位置指定スイッチ５、文字の大きさ指定スイッチ６、文字の色指定スイッチ７、スーパーインポーズ停止スイッチ８を設ける。そして、充電のためのＡＣ１００Ｖ入力プラグ９を取りつける。
【発明の効果】
本発明は、以上説明したように構成されているので、以下に記載されるような効果を奏する。
【００９】
充電器にスーパーインポーズ機能を取りつけることにより充電しながらテレビ鑑賞中に携帯電話を操作することなく受信したメールを読むことが出来る。
【００１０】
また、表示位置を選択してテレビ画面上の望みの位置に文字を表示できる。
【００１１】
また、文字の大きさを指定して読むことを容易にすることが出来る。
【００１２】
また、文字の色を指定して注意を引くことが出来る。
【００１３】
また、携帯電話は充電用コネクタの他に文字データ出力用コネクタを必要としない。
【００１４】
また、送信者を指定することにより特定の送信者のメールのみをスーパーインポーズすることが出来る。
【００１５】
また、メールの文頭或いは文末に特定の記号を付けることにより送信者がメールをスーパーインポーズされることを避けることが出来る。
【図面の簡単な説明】
【図１】スーパーインポーズ機能付き充電器の図である。
【符号の説明】
１  充電器
２  映像信号入力コネクタ
３  映像信号出力コネクタ
４  充電用コネクタ
５  文字等表示位置指定スイッチ
６  文字等大きさ指定スイッチ
７  文字等表示色指定スイッチ
８  スーパーインポーズ停止スイッチ
９  ＡＣ１００Ｖ入力プラグ
【図１】
2004229252.tif 000003
(57)【要約】【課題】さまざまな既存センサの信号を一括で収集が可能なハードウェア、その信号をインターネットの標準手順に符号化・送信するソフトウェアおよび、符号化された信号をインターネットの標準規格で集積するソフトウェアを提供する。【解決手段】本発明は、既存センサ機器の信号を読み込み、その信号をインターネット上の標準手順（ＳＭＴＰ）に符号化・送信するハードウェア（１）；符号化された信号をインターネットの標準規格（ＸＭＬ）で集積するソフトウェア（２）；で構成されたことを特徴とするシステム。【選択図】図１
2004229258.tif 000002
【特許請求の範囲】
【請求項１】
既存センサ機器の信号を読み込み、インターネット上の標準手順に符号化・送信し、その符号化された信号を集積する方式。
【請求項２】
既存センサ機器の信号を読み込み、その信号をインターネット上の標準手順（ＳＭＴＰ）に符号化・送信するハードウェア（１）；符号化された信号をインターネットの標準規格（ＸＭＬ）で集積するソフトウェア（２）；を特徴とする方式。
【請求項３】
既存センサ機器の信号を読み込みができるモジュール（Ｓ１）；その信号をインターネット上の標準手順（ＳＭＴＰ）に符号化・送信ができるプログラム（Ｓ２）；符号化された信号をインターネットの標準規格（ＸＭＬ）で集積ができるプログラム（Ｓ３）；を有することを特徴とする方式。
【発明の詳細な説明】
【０００１】
【産業上の利用分野】本発明は、既存のインターネットへの接続機能を有していないセンサ機器の信号をインターネット上の標準手順（ＳＭＴＰ）に符号化・送信し、その情報をインターネットの標準規格（ＸＭＬ）で集積する方式に関する。
【０００２】
【従来の技術】従来、センサ機器の多くが遠隔地における信号取得には電話回線等専用の通信回線とセンサおよびセンサごとの通信ハードウェアで構成される。またインターネットを利用することが可能な場合でも、専用の通信手順が利用されているため、既設インターネット網のセキュリティ保護システムとの共存の問題により、調整を施した既設インターネット回線または専用のインターネット回線とセンサおよび通信ハードウェアで構成される。また集積する形式はメーカごと独自の規格である。
【０００３】
【発明が解決しようとする課題】従来の方式では、センサ機器の信号収集に専用の通信回線およびハードウェアが必要であることにより、通信回線工事およびそれぞれの機器設定の導入作業が必要である。またインターネットが利用可能であるとしても、専用の通信手順の採用により既存インターネット網のセキュリティ保護システムとの共存させるための作業を行なうか専用のインターネット回線設置が必要である。
集積形式もメーカ独自の規格を採用しているため、他のシステムでの再利用が困難である。
【０００４】本発明は、上記の問題点を解決するためのもので、センサごとに通信ハードウェアを用意すること無く、さまざまな既存センサの信号収集ができ導入作業を軽減すること、またセキュリティ保護システムとの共存が可能な通信手順（ＳＭＴＰ）を利用することで、新たな作業をすることなく既設のインターネット網の利用が可能なこと、インターネットの標準規格（ＸＭＬ）で信号を集積することで、情報の再利用性を向上することを目的とする。
【０００５】
【課題を解決するための手段】本発明は、上述した課題を解決するための手段として、さまざまな既存センサの信号を一括で収集が可能なハードウェア、その信号をインターネットの標準手順（ＳＭＴＰ）に符号化・送信するソフトウェアおよび、符号化された信号をインターネットの標準規格（ＸＭＬ）で集積するソフトウェアで構成されている。
【０００６】また、各機能別処理においては、既存センサ機器の信号を読み込みができるモジュール（Ｓ１）；その信号をインターネット上の標準手順（ＳＭＴＰ）に符号化・送信ができるプログラム（Ｓ２）；符号化された信号をインターネットの標準規格（ＸＭＬ）で集積ができるプログラム（Ｓ３）；を有することを特徴とするため、センサ機器の導入作業が軽減できること、既存インターネット網を利用することにより、通信網の導入作業を軽減できること、およびインターネットの標準規格で信号を集積することにより情報の再利用性が向上することが可能である。
【作用】本発明は、既存のさまざまなセンサ機器の信号を一括で収集することができ、セキュリティ保護システムとの共存が可能であることにより、導入作業が軽減できる。また集積された情報がインターネットの標準規格（ＸＭＬ）であることから再利用性が向上する。
【０００７】
【実施例】以下、本発明の実施例を図面に基づいて説明する。
【０００８】図１は、本発明による実施例を示すフローチャートである。
【０００９】図１のフローチャートに従い、本発明の実施を説明すると、既存センサが動作し、１でセンサの信号を収集し、２でセンサの信号をインターネットの標準手順に符号化・送信し、３で符号化・送信された信号を集積する。
【００１０】図１のフローチャートでは、各機能別処理において、既存センサ機器の信号を読み込みができるモジュール（Ｓ１）；その信号をインターネット上の標準手順（ＳＭＴＰ）に符号化・送信ができるプログラム（Ｓ２）；符号化された信号をインターネットの標準規格（ＸＭＬ）で集積ができるプログラム（Ｓ３）；を有することを特徴とするため、センサ機器の導入作業が軽減できること、既存インターネット網の利用することにより、通信網の導入作業を軽減すること、およびインターネットの標準規格で信号を集積することにより情報の再利用性が向上することが可能である。
【発明の効果】第１の効果は、既存センサごとに個別の通信装置が不要なことにより、導入作業が軽減できることである。
【００１１】第２の効果は、既存インターネット網をそのまま利用可能なことにより、導入作業が軽減できることである。
【００１２】第３の効果は、インターネットの標準規格で集積することにより、情報の再利用性が向上することである。
【図面の簡単な説明】
【図１】既存センサの信号を集積するまでのフローチャートである。
【符号の説明】
１    既存センサ機器の信号を読み込み、その信号をインターネット上の標準手順（ＳＭＴＰ）に符号化・送信するハードウェア。
２    符号化された情報をインターネットの標準規格（ＸＭＬ）で集積するソフトウェア。
Ｓ１  既存センサ機器の信号を読み込みができるモジュール。
Ｓ２  既存センサ機器の信号をインターネット上の標準手順（ＳＭＴＰ）に符号化・送信ができるプログラム。
Ｓ３  符号化された信号をインターネットの標準規格（ＸＭＬ）で集積ができるプログラム。
【語句の説明】
ＳＭＴＰ（Ｓｉｍｐｌｅ  Ｍａｉｌ  Ｔｒａｎｓｌａｔｅ  Ｐｒｏｔｏｃｏｌ）
インターネット上でのメール送信に関する標準手順。
ＸＭＬ（ｅＸｔｅｎｓｉｂｌｅ  Ｍａｒｋｕｐ  Ｌａｎｇｕａｇｅ）
インターネット上でのデータ（情報）の標準規格。
【図１】
2004229258.tif 000003
(57)【要約】【課題】従来、簡単リモコン、等の名称で販売されている物は、あらかじめ設定した各メーカーのテレビやビデオ、等の家電機器に対応した赤外線コードをリモコンから発光して、一台で複数機器の操作が出来るようになっており大変便利であるが、赤外線の性質上、障害物に弱く、布団の中からのリモコン操作等は、不可能だった。専用リモコンも同じである。【解決手段】電波式リモコン１の電波送信用アンテナ２から送信された電波３を、受信変換発光器４の電波受信用アンテナ５が受信し、あらかじめ設定した各メーカーのテレビやビデオ等の家電機器に対応した赤外線コードに変換し、赤外線送信部６より赤外線７を発光し、テレビやビデオ等の機器８の赤外線受信部９で受光することにより、各機器のリモコン操作を実現している。【選択図】  図１
2004229256.tif 000002
【特許請求の範囲】
【請求項１】
電波式リモコン及び、これより送信された電波を受信し、使用する各家電機器に対応した赤外線コードを発光する受信変換発光器から構成する装置。
【発明の詳細な説明】
【０００１】
【発明の属する技術分野】
本発明は、電波式リモコン及び、受信変換発光器から構成する装置で、布団の中からでも各メーカーのテレビやビデオ等の家電機器のリモコン操作が出来るようにしたものである。
【０００２】
【従来の技術】
従来、簡単リモコン、等の名称で販売されている物は、あらかじめ設定した各メーカーのテレビやビデオ、等の家電機器に対応した赤外線コードをリモコンから発光し、一台で複数機器の操作が出来るようになっており大変便利であるが、赤外線の性質上、障害物に弱く、布団の中からのリモコン操作等は、不可能だった。専用リモコンも同じである。
【０００３】
【課題を解決するための手段】
本発明は、リモコンから電波を出し、その電波を家電機器に正しく向けてある受信変換発光器が受信し、あらかじめ設定した各メーカーのテレビやビデオ等の家電機器に対応した赤外線を発光する。
【０００４】
【発明の実施の形態】
本発明を図面にて説明すると、電波式リモコン１の電波送信用アンテナ２から送信された電波３を、受信変換発光器４の電波受信用アンテナ５が受信し、あらかじめ設定した各メーカーのテレビやビデオ等の家電機器に対応した赤外線コードに変換し、赤外線送信部６より赤外線７を発光し、テレビやビデオ等の機器８の赤外線受信部９で受光することにより、各家電機器のリモコン操作を実現している。
【０００５】
【発明の効果】
このようにすれば、布団の中からやテーブル上にある茶碗など多少の障害物、家電機器に正しく向けてない操作等、でもリモコン操作が可能になる。
【０００６】
【図面の簡単な説明】
【図１】本考案の実施例を示す平面図である。
【符号の説明】
１  電波式リモコン
２  電波送信用アンテナ
３  電波
４  受信変換発光器
５  電波受信用アンテナ
６  赤外線送信部
７  赤外線
８  テレビやビデオ等の機器
９  赤外線受信部
【図１】
2004229256.tif 000003
(57)【要約】      （修正有）【課題】運転中でも遠慮無しに着信する携帯電話。危険な片手運転で人命に関わる事故も少なくない。この用具は簡易的とはいえ、そんな危険な片手運転を防止するハンズフリー用具である。また、利き手の自由を奪い、ときにわずらわしさを伴う携帯電話使用中でも、軽微な手作業を続行可能にした用具でもある。【解決手段】２のクリップに、力学を応用した３の重りや１の軽金属ハンガーを儲け、軽量な携帯電話及びＰＨＳ等なら耳に着装し通話可能。重量が増すものなら図面３のように頭部掛けで使用する。現在軽量化の進む携帯電話・ＰＨＳ等において将来必ずやなしうる耳掛けようハンズフリー用具である。その最大の骨子は、携帯電話本体を耳に直掛けで単純に使用することにある。【選択図】図１
2004229251.tif 000002
【特許請求の範囲】
【請求項１】
図面１−Ａ図−（１）耳掛けハンガー（軽金属金具）と、（４）バネ先に（３）の錘を用いた（５）細棒状金属を携帯電話挿み用クリップに取り付け、簡易的に耳に掛け通話するハンズフリー用具。
【請求項２】
図面３−Ａ図−（１）のクリップを（３）の接続金具で（４）の頭部掛け金具に通じる（２）の耳当て板と接続、携帯電話機本体を直にクリップで挿み、ハンズフリーとして使用する用具。
＊以上、２点の携帯電話用ハンズフリー用具。
【発明の詳細な説明】
【０００１】
【発明の属する技術分野】
この発明は、運転中に咄嗟に掛かってきた携帯電話及びＰＨＳ等に、事前にセットしておくだけで瞬時に耳に掛け片手運転の防止を予防するものである。また、頭部掛け用具は、業務中に簡単にセットでき、軽微な作業が続行できる用具である。
【０００２】
【従来の技術】
運転中のハンズフリーを考えた場合、専門職（警察・ガードマン）等に見られる業務的なスタイルとなり、敬遠されがち。一般向けハンズフリーグッズは、室内配線が必要とされ、ときにインターホン端子からの配線等が乱雑で煩わしく、内容のわりにコストが高い。
携帯電話及びＰＨＳ本体を直に耳に掛けた用具は、陳腐なのか未だ例を見ない。
【０００３】
【発明が解決しようとする課題】
携帯電話使用を使用する際の片手運転・連続動作の中断・及び作業の非効率性・それに用具本体のコストパフォーマンス。
イ  携帯電話使用中は、メモを取るなどの際も利き手が塞がっているので手帳及びノート等の押さえが利かず文字等がスムーズに書けない。その為、非常に煩わしいかった。
ロ  運転中の携帯電話使用は、絶対無比と言っていいほど片手ハンドル（違反行為）となり、人命をも伴う大事故に直結しかねず危険極まりない。
ハ  文明の象徴と言える携帯電話は運転中などにおいて、その交換条件に利き手の自由を奪われる言わば両刃の剣。携帯電話使用中の聞き手の不自由さは絶対的である。
本発明は、携帯電話使用時の煩わしさ、及び運転に支障をきたし人命にさえ影響を及ぼす行為（片手運転）を、解決するものである。
【０００４】
【課題を解決する為の手段】
図面１−Ａ図−（１）耳掛け用ハンガー（軽金属金具）と（３）錘及び（４）バネを取り付けた（５）の細棒状軽金属金具を（２）のクリップに施行する。
また、図面３−Ａ図の（４）の頭部掛け具に（２）の耳当て板と（１）のクリップを、（３）接続金具でつなぎＣ図のように携帯電話を挿み使用する。
本発明は以上の構成による、携帯電話ハンズフリー用具である。
【０００５】
【発明の実施の形態】
１  図面１−Ａ図の（１）耳掛けハンガーと（５）の細棒状金属の施行された（２）クリップを、図面２−Ａ図・Ｂ図のように携帯電話にセットする。
ハンガーの耳支点となる（７）にはアクリル系滑り止めパッキン、携帯電話本体を挿む（２）クリップの内面には（６）の薄板状ゴムパッキンを施行し、摩擦力を高める（図面１−Ｂ図）。
２  図面３−Ａ図−（４）の頭部掛け具（湾曲バネ質）に（２）耳当て板（プラスチック質）を施し、接続金具（３）でクリップと接続する。携帯電話本体との接点であるクリップ内面には（６）の薄板状ゴムパッキンを設ける。
本発明の主要部は以上の構成によりなっている。
本発明を耳に掛け使用する場合、以下のような状況が発生する。
請求項１
図面２−Ａ図を耳に掛けた場合、（ａ）の耳支点と（ｂ）へ携帯電話本体の重量が掛かり、テコの原理で（ｃ）へと力が移動する。その際、（ｄ）の重りが更なる負荷を（ｃ）へ果し、携帯電話本体の傾斜（通話角度）を形成、同時に耳支点への密着度を高める。
ただ、携帯電話本体の重さは男女の差及び個人の耳形に左右されるが、８０グラム程度が上限とされる。が、近年軽量化の著しい携帯電話やＰＨＳにおいては、何れは（ｂ）点・（ｃ）点の応用は不要となり（ｄ）の重り役も携帯電話のアンテナ先端部に施行され、耳掛けハンガーも携帯電話本体にセットされるであろう。
請求項２
より重量の携帯電話及び長時間に及ぶ会話等には図面３の用具が最適で、通常の体位移動にも耐えられる。
本発明を使用する際は、それが運転中であればあらかじめ本用具を携帯電話にセットし、図面１の用具の場合は瞬時に耳に掛け使用する。図面３の用具の場合でも、最初に（５）の頭部押さえ板を反対側頭部に引っ掛け、聞き耳上に（２）の耳当て版を引き寄せ、携帯電話との間隔を調整する。
車内は密室状態と考えられ、十分な会話が可能である。また、業務中は慌てる事無くセットでき長時間仕様も可能である。
尚、両用具使用時形態は図面４−Ａ・Ｂの通りである。
【０００６】
【発明の効果】
本発明を使用することにより、咄嗟の着信にも危険な片手運転が防止でき、日常のデスクワークに携帯電話使用時特有（利き手の不自由）の煩わしさから開放される。それに、何よりそのスタイルが単純明快で、更には事務用品程度の安価で提供できる−−この発明の最大のポイントは、携帯電話本体を直に耳に掛けハンズフリーに使用することにある。
【図面の簡単な説明】
【図１】
【Ａ】耳掛けハンガー（仮称）本体
【符号の説明】
１  耳掛けハンガー金具（軽金属）
２  クリップ（携帯電話挿み用−プラスチック）
３  錘
４  バネ
５  細棒状金属
６  薄板状ゴムパッキン
７  アクリルリシンパッキン
【Ｂ】耳掛けハンガー分解図
【図２】
【Ａ】耳掛けハンガー携帯電話取り付け図・正面
ａ  力点
ｂ  力点
ｃ  力点
ｄ  錘
【Ｂ】耳掛けハンガー携帯電話取り付け図・側面
【図３】
【Ａ】頭部掛けハンズフリー用具（本体図）
【符号の説明】
１  クリップ
２  耳当て板
３  接続金具
４  頭部掛け金具
５  反対側頭部挿み板
６  薄板状ゴムパッキン
【Ｂ】クリップ及び耳掛け板金具接続部（上視図）
【Ｃ】クリップによる携帯電話取り付け図
【図４】Ａ−請求項１−
【図面１】タイプ使用図
Ｂ−請求項２−
【図面３】タイプ使用図
【図１】
2004229251.tif 000003
【図２】
2004229251.tif 000004
【図３】
2004229251.tif 000005
【図４】
2004229251.tif 000006
(57)【要約】【課題】本発明は、携帯電話機（ＰＨＳを含む）の使い易さを考慮し、両手及び片手での操作性の向上を図り安定性のある携帯電話機を提供する。【解決手段】携帯電話機背面部下部Ａに凹みＢを設け、あるいはその部分に凹凸状の滑り止め用の溝やボッチＤを施しそこに指をかけることによって、若しくは携帯電話機背面部下部Ａに凹凸状の滑り止め用の溝やボッチＤのみを施し、両手及び片手での操作性の向上を図り携帯電話機本体の安定を増すことができる。【特許請求の範囲】
【請求項１】
携帯電話機背面部下部Ａに凹みＢを設け（図１）、そこに指をかけ固定させることによって（図６）、メールやゲーム等の操作が多機能化する携帯電話機の両手及び片手による操作の安定を増す仕組み。
【請求項２】
携帯電話機の薄型化に伴い、携帯電話機背面部下部Ａにその部分と同じ材質あるいは違う材質で隆起させて（図２）、その部分Ｃに凹みＢを設け、そこに指をかけ固定させることによって（図６）、メールやゲーム等の操作が多機能化する携帯電話機の両手及び片手による操作の安定を増す仕組み。
【請求項３】
上記請求項１及び請求項２の携帯電話機の凹みＢ部分に手の発汗などによる滑りを無くすため凹凸状の滑り止め用の溝やボッチＤを施すことによって（図３及び図４）、両手及び片手での長時間の使用を可能とする。
【請求項４】
携帯電話機の薄型化に伴い、携帯電話機背面部下部Ａに凹みを設けず、その部分に上記請求項３の携帯電話機に施された凹凸状の滑り止め用の溝やボッチＤのみを設けることによって（図５）、両手及び片手での長時間の使用を可能とする。
【発明の詳細な説明】
【０００１】
【発明の属する技術分野】本発明は、メールやゲーム等の操作が多機能化する携帯電話機（ＰＨＳを含む）を使用するにあたり両手及び片手での操作の安定を図り、手の発汗などによる滑りを無くし、長時間の使用を可能とする携帯電話機である。
【０００２】
【従来の技術】従来は、メールやゲーム等の操作が多機能化する携帯電話機の両手及び片手での操作による安定性に欠けていた。
【０００３】上記携帯電話機は、手の発汗などによる滑りのため、長時間の使用及び操作性に欠けていた。
【０００４】
【発明が解決しようとする課題】メールやゲーム等の操作が多機能化する携帯電話機の両手及び片手での重量のバランスや操作性を考慮していなかったため携帯電話機本体の安定性に欠けていた。
【０００５】本発明は、手の発汗などによる滑りなどから両手及び片手で安定的に長時間操作することができる携帯電話機を提供する。
【０００６】
【課題を解決するための手段】請求項１の携帯電話機は、携帯電話機背面部下部Ａに設けられた凹みＢ（図１）に指をかけ固定させることによって（図６）、携帯電話機本体を安定させ、メールやゲーム等を両手及び片手で操作する場合の使い易さ、利便性を特徴とする。
【０００７】請求項２の携帯電話機は、携帯電話機背面部下部Ａにその部分と同じ材質あるいは違う材質で隆起させて（図２）、その部分Ｃに設けられた凹みＢに指をかけ固定させることによって（図６）、携帯電話機本体を安定させ、メールやゲーム等を両手及び片手で操作する場合の使い易さ、利便性を特徴とする。
【０００８】請求項３の携帯電話機は、上記請求項１及び請求項２の携帯電話機の背面部下部Ａに設けられた凹みＢに凹凸状の滑り止め用の溝やボッチＤを施すことによって（図３及び図４）、手の発汗などによる滑りを無くすことを特徴とする。
【０００９】請求項４の携帯電話機は、携帯電話機の薄型化に伴い、請求項１及び請求項２の携帯電話機のように凹みを設けず携帯電話機の背面部下部Ａに凹凸状の滑り止め用の溝やボッチＤのみを施すことによって（図５）、手の発汗などによる滑りを無くすことを特徴とする。
【００１０】
【発明の実施の形態】本発明は、携帯電話機本体の背面部下部Ａ及び背面部下部Ａと同じ材質あるいは違う材質で隆起させたＣに凹みＢを設け（図１及び図２）、そこに指をかけ固定させることによって（図６）、携帯電話機本体を安定させ、メールやゲーム等の多機能化に対応し操作性を増す新規な携帯電話機を提供することを目的とするものである。
【００１１】上記の携帯電話機の背面部下部Ａの凹みＢ及びＣの凹みＢに凹凸状の滑り止め用の溝やボッチＤを施すことにより（図３及び図４）、手の発汗などからの滑りを無くし携帯電話機本体を安定させ多様化する携帯電話機の操作性の向上を図る新規な携帯電話機を提供することを目的とするものである。
【００１２】また、携帯電話機の薄型化に伴い、携帯電話機の背面部下部Ａに請求項１及び請求項２の凹みを設けず凹凸状の滑り止め用の溝やボッチＤのみを施すことによって（図５）、手の発汗などからの滑りを無くし携帯電話機本体を安定させ多様化する携帯電話機の操作性の向上を図る新規な携帯電話機を提供することを目的とするものである。
【００１３】
【発明の効果】請求項１の携帯電話機は、携帯電話機の背面部下部Ａに指を固定させる凹みＢを設けること（図１）を特徴とするので指を凹みＢに固定させる（図６）ことによって、メールやゲーム等の操作が多様化する携帯電話機を両手及び片手で操作する場合、携帯電話機本体を安定させ操作性を向上することができる。
【００１４】請求項２の携帯電話機は、携帯電話機の背面部下部Ａにその部分と同じ材質あるいは違う材質で隆起させたＣに指を固定させる凹みＢを設けること（図２）を特徴とするので指を凹みＢに固定させることによって、メールやゲーム等の操作が多様化する携帯電話機を両手及び片手で操作する場合、携帯電話機本体を安定させ操作性を向上することができる。
【００１５】請求項３の携帯電話機は、上記請求項１及び請求項２の携帯電話機において凹みを設けた部分Ｂに凹凸状の滑り止め用の溝やボッチＤを施すことを特徴とするので（図３及び図４）、凹みＢに指を固定したときに手の発汗などによる滑りを無くし、両手及び片手での長時間の使用を可能とすることができる。
【００１６】請求項４の携帯電話機は、携帯電話機の薄型化に伴い、携帯電話機に請求項１及び請求項２の凹みを設けず携帯電話機の背面部下部Ａに凹凸状の滑り止め用の溝やボッチＤのみを施すことを特徴とするので（図５）、携帯電話機の背面部下部Ａに指を固定したときに手の発汗などによる滑りを無くし、両手及び片手での長時間の使用を可能とすることができる。
【図面の簡単な説明】
【図１】携帯電話機背面部下部に凹みを設けた背面側斜視図
【図２】携帯電話機背面部下部の隆起させた部分に凹みを設けた背面側斜視図
【図３】携帯電話機背面部下部の凹みに凹凸状の滑り止め用の溝やボッチを施した背面側斜視図
【図４】携帯電話機背面部下部の隆起させた部分の凹みに凹凸状の滑り止め用の溝やボッチを施した背面側斜視図
【図５】携帯電話機背面部下部に凹凸状の滑り止め用の溝やボッチを施した背面側斜視図
【図６】携帯電話機背面部下部に両手の指を固定させている形態図
【符号の説明】
Ａ  本体背面部下部
Ｂ  本体背面部下部の凹み
Ｃ  本体背面部下部の隆起部分
Ｄ  本体背面部下部の凹凸状の滑り止め用の溝やボッチ
【図１】
2004229253.tif 000002
【図２】
2004229253.tif 000003
【図３】
2004229253.tif 000004
【図４】
2004229253.tif 000005
【図５】
2004229253.tif 000006
【図６】
2004229253.tif 000007
(57)【要約】【課題】テレビ等の電化製品のリモコンが見当たらない時に、容易にリモコンを探し出す装置を提供する。【解決手段】テレビ等の電化製品（１）に発信機（２）と発信スイッチ（３）を組み込み、そのテレビ等の電化製品（１）の操作リモコン（８）に受信機（９）とブザー（１０）を組み込んだことを特徴とする。【選択図】    図１
2004229248.tif 000002
【特許請求の範囲】
【請求項１】
テレビ等の電化製品（１）に発信機（２）と発信スイッチ（３）を組み込み、発信機（２）に対応する受信機（９）をテレビ等の電化製品（１）の操作リモコン（８）に組み込み、受信機（９）に反応するブザー（１０）を組み込んだリモコン検索装置。
【発明の詳細な説明】
【０００１】
【発明の属する技術分野】
この発明は、テレビ等の電化製品のリモコンが見当たらない時に、容易にリモコンを探し当てることができる装置に関するものである。
【０００２】
【従来の技術】
従来よりリモコンというのは、離れた場所からテレビ等の電化製品を遠隔操作できるという便利なものである。
【０００３】
【発明が解決しようとする課題】
これは次のような欠点があった。
イ、リモコンは小型ゆえに物陰や、目の届かない場所にありがちで探しずらい。
ロ、リモコンは自分専用の物とは限らず、老若男女誰でもが使うことができるゆえ、前回使用した人が何処に置いたなど不明な場合が多い。
ハ、最近では一つの部屋の中に複数のリモコンがあり、今使用したいリモコンがすぐに識別しずらい。
本発明は、これらの欠点を解決するために発明されたものである。
【０００４】
【課題を解決するための手段】
テレビ等の電化製品（１）に発信機（２）と発信スイッチ（３）を組み込み、そのテレビ等の電化製品（１）の操作リモコン（８）に受信機（９）とブザー（１０）を組み込んだ以上の構成よりなるリモコン検索装置。
【０００５】
【発明の実施の形態】
以下、本発明の実施の形態について説明する。
（イ）テレビ等の電化製品本体（１）の内部に発振器（４）と周波数変換器（５）と増幅器（６）と発信アンテナ（７）と発信スイッチ（３）からなる発信機（２）を設ける。
（ロ）テレビ等の電化製品本体（１）の操作リモコン（８）の内部に受信アンテナ（１１）と復調器（１２）とブザー（１０）からなる受信機（９）を設ける。（ハ）発信機（２）の電源はテレビ等の電化製品本体（１）の電源を利用し、受信機（９）及びブザー（１０）の電源はリモコン（８）の電池を利用する。
本発明は、以上の構成よりなっている。
本発明は以上のような構造でこれを使用するときは、テレビ等の電化製品本体（１）を操作しようとしたときに、テレビ等の電化製品本体（１）の操作リモコン（８）が見あたらないために操作ができないとき、次のようにしてテレビ等の電化製品本体（１）の操作リモコン（８）を発見することができる。
テレビ等の電化製品本体（１）の前面に設けてある発信スイッチ（３）を押すことによりテレビ等の電化製品本体（１）の内部にある発信機（２）より電波（Ａ）が発信され、操作リモコン（８）の内部にある受信機（９）がその電波（Ａ）を受信し、操作リモコン（８）に設けたブザー（１０）が鳴り、視覚では発見できなかった操作リモコン（８）がブザーの音により操作リモコン（８）を安易に発見することができる。
【０００６】
【発明の効果】
本発明を使用することによって、テレビやビデオなどのリモコンが見つからない時や、複数のリモコンから今自分が使いたいリモコンを瞬時に発見したい時などに、リモコン検索スイッチを押すことにより目的のリモコンより音が鳴る優れ物である。
【図面の簡単な説明】
【図１】本発明の使用状態を示す全体図
【図２】本発明の発信器の概要図
【図３】本発明の受信機の概要図
【符号の説明】
１  テレビ等の電化製品
２  発信器
３  発信スイッチ
４  発振器
５  周波数変換器
６  増幅器
７  発信アンテナ
８  テレビ等の電化製品の操作リモコン
９  受信機
１０  ブザー
１１  受信アンテナ
１２  復調器
【図１】
2004229248.tif 000003
【図２】
2004229248.tif 000004
【図３】
2004229248.tif 000005